(57)【要約】【課題】ボックス部を無くしても、オス端子との安定した接触状態を得ることのできるメス端子を提供する。【解決手段】１枚の帯板を長さ方向に折り曲げることで形成されたメス端子であって、基端に電線に対する接続部２０が設けられた下板１１と、該下板の先端から略Ｕ字状の湾曲部１３を介して下板の上側に被さるように折り返された上板１５とを有する。Ｕ字状の湾曲部の先端面には、オス端子の先端タブ部を挿入するための差込口１４が貫通形成され、下板の長さ方向の途中に、上板に向かってへ字状に湾曲形成され、オス端子の先端タブ部の下面に押圧接触する第１バネ部１２が設けられ、上板の自由端１７側に、オス端子の先端タブ部の上面に押圧接触する第２バネ部１６が設けられている。【選択図】図１
2010092641.tif 000002
【特許請求の範囲】
【請求項１】
１枚の帯板を長さ方向に折り曲げることで形成されたメス端子であって、
基端に電線に対する接続部が設けられた下板と、該下板の先端から略Ｕ字状の湾曲部を介して前記下板の上側に被さるように前記下板の基端方向に向けて折り返された上板と、を有し、
前記Ｕ字状の湾曲部の先端面に、接続相手であるオス端子の先端タブ部を挿入するための差込口が貫通形成され、前記下板の長さ方向の途中に、前記上板に向かってへ字状に湾曲形成され、前記差込口から挿入されたオス端子の先端タブ部の下面に押圧接触する第１バネ部が設けられ、前記上板の自由端側に、前記差込口から挿入されたオス端子の先端タブ部の上面に押圧接触する第２バネ部が設けられていることを特徴とするメス端子。
【請求項２】
請求項１に記載のメス端子であって、
前記第１バネ部が前記第２バネ部より前側に間隔をおいて配置されていることを特徴とするメス端子。
【請求項３】
請求項２に記載のメス端子であって、
前記第１バネ部の前側の前記下板上または前記上板上に、前記差込口から挿入されたオス端子の先端タブ部の上面または下面に押圧接触する第３バネ部が設けられていることを特徴とするメス端子。
【発明の詳細な説明】
【技術分野】
【０００１】
本発明は、オス端子を受け入れるボックス部を無くした簡単な構造のメス端子に関するものである。
【背景技術】
【０００２】
一般に、コネクタハウジングに収容するメス端子は、先端にオス端子を受け入れるための角筒状のボックス部を有しており、そのボックス部の内部にバネ片を有している。
【０００３】
図４は、例えば特許文献１に記載の従来のメス端子の要部の構成を示す斜視図、図５は同メス端子にオス端子を挿入した状態を示す要部の斜視図である。
【０００４】
このメス端子１１０は、先端に角筒状のボックス部１１２を有し、そのボックス部１１２の内底部に、へ字状に屈曲したバネ片１１４を備えており、ボックス部１１２の上壁１１８とバネ片１１４の頂点１１６との間に、前方から挿入されてきたオス端子１３０を挟持するようになっている。
【０００５】
この場合、オス端子１３０をボックス部１１２に挿入すると、バネ片１１４の頂点１１６にオス端子１３０の下面が接触すると共に、ボックス部１１２の上壁１１８にオス端子１３０の上面が接触することになり、下側と上側の２点Ａ、Ｂで確実に良好な接触状態を維持することができる。特に上側の点Ｂでは、上壁１１８の内面の広い範囲でオス端子１３０の上面を支持するので、安定した接触状態を保つことができる。
【特許文献１】特開２００３−５９５６５号公報
【発明の開示】
【発明が解決しようとする課題】
【０００６】
ところで、ボックス部１１２を設ける場合は、ボックス部１１２を形成するための加工手間がかかる上、ボックス部１１２を形成する分だけ材料が余計に必要であり歩留まりも悪くなるため、コスト高になる。
【０００７】
そこで、ボックス部１１２を省略することが考えられる。図６はボックス部を省略した場合を示している。このようにボックス部がないと、バネ片１１４の頂点１１６がオス端子１３０の下面に接触するだけとなるため、点Ａの１点だけでオス端子１３０とメス端子１１０が接触することになり、接触が不安定になってしまうという問題がある。
【０００８】
本発明は、上記事情を考慮し、ボックス部を無くしても、オス端子との接触状態を安定にすることのできるメス端子を提供することを目的とする。
【課題を解決するための手段】
【０００９】
請求項１の発明のメス端子は、１枚の帯板を長さ方向に折り曲げることで形成されたメス端子であって、基端に電線に対する接続部が設けられた下板と、該下板の先端から略Ｕ字状の湾曲部を介して前記下板の上側に被さるように前記下板の基端方向に向けて折り返された上板と、を有し、前記Ｕ字状の湾曲部の先端面に、接続相手であるオス端子の先端タブ部を挿入するための差込口が貫通形成され、前記下板の長さ方向の途中に、前記上板に向かってへ字状に湾曲形成され、前記差込口から挿入されたオス端子の先端タブ部の下面に押圧接触する第１バネ部が設けられ、前記上板の自由端側に、前記差込口から挿入されたオス端子の先端タブ部の上面に押圧接触する第２バネ部が設けられていることを特徴とする。
【００１０】
請求項２の発明は、請求項１に記載のメス端子であって、前記第１バネ部が前記第２バネ部より前側に間隔をおいて配置されていることを特徴とする。
【００１１】
請求項３の発明は、請求項２に記載のメス端子であって、前記第１バネ部の前側の前記下板上または前記上板上に、前記差込口から挿入されたオス端子の先端タブ部の上面または下面に押圧接触する第３バネ部が設けられていることを特徴とする。
【発明の効果】
【００１２】
請求項１の発明によれば、１枚の帯板を長さ方向に折り曲げるだけでメス端子を形成しており、複雑にプレス成形する必要のあるボックス部を無くしているので、構造の単純化により、製作コストの低減を図ることができる。また、端子１個あたりの材料使用量を少なくすることができるので、歩留まりの向上を図ることができ、材料コストを削減することができる。また、ボックス部を無くした場合、オス端子との接触が不安定になってしまうことがあるが、本発明の場合、差込口から挿入されたオス端子の先端タブ部の下面と上面を第１バネ部と第２バネ部の２点で押圧支持することができるので、接触状態を安定化させることができる。
【００１３】
請求項２の発明によれば、差込口から挿入されたオス端子の先端タブ部を、間隔をあけた位置で上側と下側から押さえるので、差込口での支持を含めて、互いに離れた３箇所での支持が可能となり、安定した接触状態を得ることができる。
【００１４】
請求項３の発明によれば、更に第３バネ部がオス端子の先端タブ部に押圧接触するので、より安定した接触状態を得ることができる。
【発明を実施するための最良の形態】
【００１５】
以下、本発明の実施形態を図面を参照して説明する。
【００１６】
図１は第１実施形態のメス端子の構成を示す斜視図、図２は同メス端子にオス端子を接続する場合の作用説明図で、図２（ａ）は接続する前の状態を示す側面図、図２（ｂ）は接続した後の状態を示す側面図である。
【００１７】
この第１実施形態のメス端子１０は、１枚の一定幅の帯板を長さ方向に折り曲げることで形成したものであり、基端に電線に対する接続部２０が設けられた下板１１と、この下板１１の先端から略Ｕ字状の湾曲部１３を介して、下板１１の上側に被さるように下板１１の基端方向に向けて折り返された上板１５と、を有している。
【００１８】
Ｕ字状の湾曲部１３の先端面には、接続相手であるオス端子３０の先端タブ部３１を挿入するための差込口１４が貫通形成されている。また、下板１１の長さ方向の途中には、上板１５に向かってへ字状に湾曲形成され、差込口１４から挿入されたオス端子３０の先端タブ部３１の下面に押圧接触する第１バネ部１２が設けられている。
【００１９】
また、上板１５の自由端１７側には、差込口１４から挿入されたオス端子３０の先端タブ部３１の上面に押圧接触する第２バネ部１６が設けられている。第１バネ部１２は、第２バネ部１６よりも前側に間隔をおいて配置され、第２バネ部１６は、下板１１に向けてやや凸に湾曲している。
【００２０】
この場合、図２（ａ）に示すように、自由状態において、オス端子３０の先端タブ部３１の挿入ラインＬよりも上側に第１バネ部１２の上向きの頂点１２ａが位置し、同ラインＬよりも下側に第２バネ部１６の下向きの頂点１６ａが位置するように、第１、第２バネ部１２、１６の曲げ寸法や差込口１４の位置などが決められている。
【００２１】
また、電線に対する接続部２０には、被覆電線Ｗの先端の露出導体Ｗａに加締められる導体加締片２１と、被覆Ｗｂを有する部分に加締められる被覆加締片２２とが設けられている。
【００２２】
また、下板１１の第１バネ部１２から外れた箇所の下面には、図２（ａ）に示すように、オスコネクタハウジング６０の端子収容室６１に後部からメス端子１０を挿入した際に、端子収容室６１内の段部６２に係合することで、メス端子１０を抜け止めする切り起こし片１８が設けられている。
【００２３】
なお、オス端子３０も、メスコネクタハウジング７０の端子収容室７１に後部から挿入され、ランス７２により抜け止めされている。このメスコネクタハウジング７０の前部には、オスコネクタハウジング６０を受け入れるフード部７３が設けられている。
【００２４】
次に作用を説明する。
【００２５】
コネクタハウジング６０、７０〔図２（ａ）参照〕同士の嵌合に伴って、オス端子３０とメス端子１０が接続される場合、図２（ｂ）に示すように、オス端子３０の先端タブ部３１がメス端子１０の差込口１４から挿入される。すると、先端タブ部３１は、挿入ラインＬ〔図２（ａ）参照〕に沿って挿入され、第１バネ部１２を押し下げ、第２バネ部１６を押し上げながら、奥に進んでいき、メス端子１０と接続される。
【００２６】
この状態で、差込口１４から挿入されたオス端子３０の先端タブ部３１の下面と上面に、メス端子１０の第１バネ部１２と第２バネ部１６が２点Ｂ、Ａで押圧接触するので、安定した接触状態が得られる。特に、差込口１４から挿入されたオス端子３０の先端タブ部３１は、間隔をあけた位置で上側と下側から押さえ付けられるので、差込口１４での支持を含めて、互いに離れた３箇所での支持となり、安定した接触状態が得られる。
【００２７】
また、このメス端子１０は、１枚の帯板を長さ方向に折り曲げるだけで形成されており、複雑にプレス成形する必要のあるボックス部が省略されているので、構造が単純であり、製作コストの低減が図れる。また、端子１個あたりの材料使用量も少なくできるので、歩留まりの向上を図ることができ、材料コストも削減することができる。
【００２８】
なお、図３に示す第２実施形態のメス端子１０Ｂのように、第１バネ部１２の前側の下板１１上に、差込口１４から挿入されたオス端子３０の先端タブ部３１の上面に押圧接触する第３バネ部１９を設けてもよい。そうすれば、更に第３バネ部１９が、Ｃ点でオス端子３０の先端タブ部３１に押圧接触するので、より安定した接触状態を得ることができる。
【００２９】
この図３の例では、第３バネ部１９を、下板１１上に第１バネ部１２と同形状のものとして設けているが、上板１５側に同様の形状の第３バネ部を設け、オス端子３０の先端タブ部３１の上面に押圧接触するようにしてもよい。
【００３０】
また、オス端子３０の先端タブ部３１の先端は、差込口１４に挿入しやすいように尖らせたり面取りしておくのがよい。
【図面の簡単な説明】
【００３１】
【図１】本発明の第１実施形態のメス端子の構成を示す斜視図である。
【図２】同メス端子にオス端子を接続する場合の作用説明図で、（ａ）は接続する前の状態を示す側面図、（ｂ）は接続した後の状態を示す側面図である。
【図３】本発明の第２実施形態のメス端子にオス端子を接続する場合の作用説明図で、（ａ）は接続する前の状態を示す側面図、（ｂ）は接続した後の状態を示す側面図である。
【図４】従来のメス端子の要部の構成を示す斜視図である。
【図５】同メス端子にオス端子を挿入した状態を示す要部の斜視図である。
【図６】従来のメス端子からボックス部を取り除いた状態を示す斜視図である。
【符号の説明】
【００３２】
１０，１０Ｂ  メス端子
１１  下板
１２  第１バネ部
１３  Ｕ字状の湾曲部
１４  差込口
１５  上板
１６  第２バネ部
１７  自由端
１９  第３バネ部
２０  電線に対する接続部
３０  オス端子
３１  先端タブ部
【図１】
2010092641.tif 000003
【図２】
2010092641.tif 000004
【図３】
2010092641.tif 000005
【図４】
2010092641.tif 000006
【図５】
2010092641.tif 000007
【図６】
2010092641.tif 000008